(57)【要約】      （修正有）【課題】レバー部位の引っ掛かりにくい洗濯バサミ等ピンチ、及び挟み口内部空間が広い洗濯バサミ等ピンチを提供する。【解決手段】突起状のレバー部位３、４の間にバネ５を組み込んで、レバー部位が突起状となることを解消した洗濯バサミ等ピンチ。外周及び内周が円形の一部であり、角度にして２４０度となる二つの部品を、それぞれの１２０度分が重なりあうようにペアーとして組み合わせてバネを設け、挟み口をあけるためのつまむレバーを外周に備えた洗濯バサミ等ピンチ。【選択図】図１
2014121497.tif 000002
【特許請求の範囲】
【請求項１】
洗濯バサミ等ピンチの挟み口に締付ける力を生み出すために、指でつまむレバー部位双方に、バネを作動可能な状態に組み付ける。バネの力の向きは、つまむレバー部位に指で力を加える内向きとは反対方向の外向きとする。又、バネは、つまむレバー部位の突起した状態を解消出来る形状とする。更に、一つに合わさり支点としての働きをする二つの部材上のそれぞれの部位は、バネの外向きの力によっても離れることなく組み合い動ける構造とする。
【請求項２】
洗濯バサミ等ピンチの、二つの部材が合わさり支点としての働きをする部位を以下のような機構とする。それぞれの部材上に設けた円形の一部である部位どうしが、同一円周上で内接外接して組み合い、且つ支点としての力を受けて互いに押し合いながら反対方向に回転運動をすることによっ支点としての働きをする機構とする。
【請求項３】
洗濯バサミ等ピンチの挟み口を締付けているＵ字形のバネの底の部位と、挟み口が開くとき支点となる二つの部材が合わさった部位との間の距離を押し広げる運動で、挟み口が開く働きをピンチの機構として用いる。そのため、この距離の広がりを生み出し伝える別の機構とを組み合わせて一体と成る構造のピンチとする。
【発明の詳細な説明】
【技術分野】
【０００１】
本発明は、洗濯バサミ等ピンチの使用機能の向上拡大に関するものである。
【背景技術】
【０００２】
洗濯バサミ、目玉クリップ等、即ち、洗濯バサミ等ピンチは、シンプルな構造ながら、繋ぐ、固定する、封をする、とめる等の役割を、ワンタッチの簡易な動作で行え、いろいろな場面に役だっている。  
しかし、このピンチを開けるために突起状のつまむレバー部分が引っ掛かり困るときがあるとか、ピンチの挟み口の内部空間がもっと広ければ役立つのにとか、ピンチでとめての収納につまむレバー部分が嵩張って邪魔になるとか、課題もある。
そこで、洗濯バサミ等ピンチのシンプルな構造性や、簡易な動作性は大切に保持しながら課題を克服できる視点を、洗濯バサミ等ピンチの機構の中に求める。
【先行技術文献】
【非特許文献】
【０００３】
【非特許文献１】請求項１に類似したものとしては、挟み口にバネのある従来型のピンチのつまむレバー部分の突起部分を覆い、引っ掛かり予防のとしたものはあるが、外見は似ていても機構的には別物である。
【発明の概要】
【発明が解決しようとする課題】
【０００４】
つまむレバー部分など引っ掛かることのないピンチ、挟み口内空間の広いピンチ、収納での使用時に嵩張らないピンチと、求めた機構について、以下図を用いながら説明する。
【課題を解決するための手段】
【０００５】
洗濯バサミ等ピンチのつまむレバー部分と挟み口とは、てこの原理の力点と作用点の関係にあるため、従来のピンチのように作用点にバネを組み付けずとも、力点に組み付けることでもよい。このことから、相対するつまむレバー部分双方に、力が外向きに働くバネを組み付け、このバネでつまむレバー部分の突起状態解消出来る形状にすれば、引っ掛かることのないピンチとしての課題を解決できる。この視点が請求項１である。
次に、挟み口が開くとき、挟み口からつまむレバー部分までの部材上の全ての任意の点は、ピンチの支点となる部位を中心とする円運動をする。そしてこの時、同一点上で相接している二つの支点は、互いに反対方向に押し合う関係にある。  このことから、相対し接する点どうしの替りに、同一円周上で内接外接の関係にある二つの円どうしが支点としての力を受けて互いに押し合うことでも支点として機能する機構となる。この場合、挟み口内部は円空間であるため、挟み口内部空間の広いピンチとしての課題も達成できる。この視点が、請求項２である。
次に又、挟み口が開くに従って、部材上の支点となる部位と、挟み口に組み付けたバネのＵ字形の底にあたる部位とは、互いに離れ合う関係にある。このことは逆に、この二つの部位間を広げれば、挟み口が開く関係にもなっている。従って、つまむレバー部位によるピンチとはせず、ここに述べた関係による機構のピンチとした視点が、請求項の３である。
【発明の効果】
【０００６】
周りの物に引っ掛からないという効果に優れているのは、請求項１の機構であるが、請求項２による構造も、図３に見るように、全体的に円形であるため同じような効果がある。
挟み口内部空間の広さのは、請求項２の構造の効果であるが、更に、図４に見るように開口部位は１２０度近くの角度まで開き、その大きさ広さも請求項２の構造のもつ効果である。
請求項３の構造は、挟み口で挟み収納された物の納まる面と、このピンチ本体の納まる面とが同一方向の面であるため、嵩張らない効果がある。そして又、図８に見るように、挟んだ物の背にぴたりとピンチが寄り添う形態もとれる。  
【図面の簡単な説明】
【０００７】
【図１】請求項１のピンチの見取り図である。
【図２】請求項２の組立前ピンチの部品の見取り図である。
【図３】請求項２のピンチの見取り図である。
【図４】請求項２のピンチの挟み口が開いた状態の見取り図である。
【図５】請求項３のピンチの側面からの見取り図である。
【図６】請求項３のピンチのバネと押し合わされている部品の上面からの見取り図である。
【図７】図６の部位の挟み口が開いた状態の見取り図である。
【図８】請求項３のピンチの収納状態の見取り図である。
【発明を実施するための形態】
【０００８】
本発明の具体的形態につて、請求項順に図を用いて説明する。
【実施例】
【０００９】
請求項１は、図１に示すように、ピンチのつまむレバー部分１及び２に、力の向きを表す矢印３及び４の方向である外向きの力を発し且つつまむレバー部分の突起状態を解消できる形状のバネ５を組み込む構造である。又、支点６及び７は、バネの外向きに働く力によっても離れることなく組み合い、一体となって働く構造である。
請求項２は、図２の二つの部品８及び９とバネ１０とを組み合わせて、図３のピンチとなる。挟み口１１及び１２を開けるためには、力の向きを表す矢印１３及び１４の方向に、つまむレバー部分１５及び１６に力を加える。開く大きさも１２０度近くまでになる。その状態が、図４である。
部品８及び９は、図２に見るように、外周も内周も円形の一部であり角度にして２４０度の大きさである。つまむレバー部分の内側の平面は、挟み口の合わさり面から６０度の位置にある。
部品８及び９が重なり合う組み合う部分は、図３で見た場合、つまむレバー部分１５の内側の面から１６の内側の面までの約１２０度の部分である。この組み合わせを図２で見ると、組み合うペアー１７と１８が、１９と２０と、２層のペアーとなる。２つの層の間の空間はバネを置く空間２１及び２２である。これらの空間は、重なり組み合った時には合体し一つの空間となる。
図４の、円運動の中心２３からつまむレバー部分までの長さと、同じく円運動の中心２３から挟み口内部にバネの先端を組み入れる部位２４及び２５までの長さとの比は、２対１に出来る。
請求項３は、図５に見る二つの部分の構造よりなる。一つ目の部分構造２６は、バネ２７と、このバネに押し合わせられ挟み口となる二つの部品２８及び２９の組み合わせよりなる。バネと押し合わせられ挟み口となる部品には、組み合わせ方が二通りある。バネが部品の外側にある場合と、内側にある場合とである。図５から図８までは、外側にある場合の構造である。
図６の二つの部品上には、挟み口となる部位３０と挟み口が開くための力を受け且つ支点となる部位３１とがある。そして、バネ上にも開くための力を受ける部位３２がある。
二つ目の部分の構造３３は、開くための力を受ける部位３１及び３２に力を与える機構である。この機構は、バネ上の部位３２に組み付けてピンチとして一体化する。
二つ目の部分の構造は、ここに示す他にも可能であるが、ここでは図５に示す場合で説明を進める。この構造は、てこの働きをする部品３４及び３５と、支点の働きをする部品３６からなる。これら三部品は、動きを持った組み付けの部位３７及び３８により、一体となる。
てこの働きをする部品３４の作用点となる先端部分３９は、バネ上の部位３２に組み付ける。もう一方のてこの働きをする部品３５の作用点となる先端部分４０は、二つの部品上の部位３１と相噛み合い且つ分離も出来る構造とする。てこの働きにより、３２と３１間の距離を広げることによって挟み口は開く。
図８は、挟み口で物を保持し格納した状態である。先端部位４０は３１の部位から離れ、嵩張らず格納物と寄り添う形で納まる。
【符号の説明】
【００１０】
１  つまむレバー部分    ２  つまむレバー部分    ３  力の向きを表す矢印    ４  力の向きを表す矢印    ５  バネ    ６  支点    ７  支点    ８  二つの部品    ９  二つの部品    １０  バネ    １１  挟み口    １２  挟み口    １３  力の向きを表す矢印    １４  力の向きを表す矢印    １５  つまむレバー部分    １６  つまむレバー部分    １７  組み合うペアー    １８  組み合うペアー    １９  組み合うペアー    ２０  組み合うペアー    ２１  バネを置く空間    ２２  バネを置く空間    ２３  円運動の中心    ２４  バネの先端を組み入れる部位    ２５  バネの先端を組み入れる部位    ２６  一つ目の部分の構造    ２７  バネ    ２８  挟み口となる二つの部品    ２９  挟み口となる二つの部品    ３０  挟み口となる部位    ３１  開くための力を受け且つ支点となる部位    ３２  開くための力を受ける部位    ３３  二つ目の部分の構造    ３４  てこの働きをする部品    ３５  てこの働きをする部品    ３６  支点の働きをする部品    ３７  組み付けの部位    ３８  組み付けの部位    ３９  作用点となる先端部分    ４０  作用点となる先端部分
【図１】
2014121497.tif 000003
【図２】
2014121497.tif 000004
【図３】
2014121497.tif 000005
【図４】
2014121497.tif 000006
【図５】
2014121497.tif 000007
【図６】
2014121497.tif 000008
【図７】
2014121497.tif 000009
【図８】
2014121497.tif 000010
【手続補正書】
【提出日】平成25年6月10日(2013.6.10)
【手続補正１】
【補正対象書類名】明細書
【補正対象項目名】全文
【補正方法】変更
【補正の内容】
【発明の詳細な説明】
【技術分野】
【０００１】
本発明は、洗濯バサミ等ピンチの使用機能の向上拡大に関するものである。
【背景技術】
【０００２】
洗濯バサミ、目玉クリップ等、即ち、洗濯バサミ等ピンチは、シンプルな構造ながら、繋ぐ、固定する、封をする、とめる等の役割を、ワンタッチの簡易な動作で行え、いろいろな場面に役だっている。  
しかし、このピンチを開けるために突起状のつまむレバー部分が引っ掛かり困るときがあるとか、ピンチの挟み口の内部空間がもっと広ければ役立つのにとか、改善したい課題もある。
そこで、洗濯バサミ等ピンチのシンプルな構造性や、簡易な動作性は大切に保持しながら課題を克服できる視点を、洗濯バサミ等ピンチの機構の中に求める。
【先行技術文献】
【非特許文献】
【０００３】
【非特許文献１】請求項１に類似したものとしては、挟み口にバネのある従来型のピンチのつまむレバー部分の突起部分を覆い、引っ掛かり予防のとしたものはあるが、外見は似ていても機構的には別物である。
【発明の概要】
【発明が解決しようとする課題】
【０００４】
つまむレバー部分など引っ掛かることのないピンチ、挟み口内空間の広いピンチ、これらの求めた機構について、以下図を用いながら説明する。
【課題を解決するための手段】
【０００５】
洗濯バサミ等ピンチのつまむレバー部分と挟み口とは、てこの原理の力点と作用点の関係にあるため、従来のピンチのように作用点にバネを組み付けずとも、力点に組み付けることでもよい。このことから、相対するつまむレバー部分双方に、力が外向きに働くバネを組み付け、このバネでつまむレバー部分の突起状態解消出来る形状にすれば、引っ掛かることのないピンチとしての課題を解決できる。この視点が請求項１である。
次に、挟み口が開くとき、挟み口からつまむレバー部分までの部材上の全ての任意の点は、ピンチの支点となる部位を中心とする円運動をする。そしてこの時、同一点上で相接している二つの支点は、互いに反対方向に押し合う関係にある。  このことから、相対し接する点どうしの替りに、同一円周上で内接外接の関係にある二つの円どうしが支点としての力を受けて互いに押し合うことでも支点として機能する機構となる。この場合、挟み口内部は円空間であるため、挟み口内部空間の広いピンチとしての課題も達成できる。この視点が、請求項２である。これらの請求項は、ピンチ本来の機能を保持し、その機能向上拡大を図る。
【発明の効果】
【０００６】
周りの物に引っ掛からないという効果に優れているのは、請求項１の機構であるが、請求項２による構造も、図３に見るように、全体的に円形であるため同じような効果がある。
挟み口内部空間の広さのは、請求項２の構造の効果であるが、更に、図４に見るように開口部位は１２０度近くの角度まで開き、その大きさ広さも請求項２の構造のもつ効果である。どちらの項目も、ピンチ本来の機能を保持しながらも、その機能向上拡大を実現している。
【図面の簡単な説明】
【０００７】
【図１】請求項１のピンチの見取り図である。
【図２】請求項２の組立前ピンチの部品の見取り図である。
【図３】請求項２のピンチの見取り図である。
【図４】請求項２のピンチの挟み口が開いた状態の見取り図である。
【発明を実施するための形態】
【０００８】
本発明の具体的形態につて、請求項順に図を用いて説明する。
【実施例】
【０００９】
請求項１は、図１に示すように、ピンチのつまむレバー部分１及び２に、力の向きを表す矢印３及び４の方向である外向きの力を発し且つつまむレバー部分の突起状態を解消できる形状のバネ５を組み込む構造である。又、支点６及び７は、バネの外向きに働く力によっても離れることなく組み合い、一体となって働く構造である。
請求項２は、図２の二つの部品８及び９とバネ１０とを組み合わせて、図３のピンチとなる。挟み口１１及び１２を開けるためには、力の向きを表す矢印１３及び１４の方向に、つまむレバー部分１５及び１６に力を加える。開く大きさも１２０度近くまでになる。その状態が、図４である。
部品８及び９は、図２に見るように、外周も内周も円形の一部であり角度にして２４０度の大きさである。つまむレバー部分の内側の平面は、挟み口の合わさり面から６０度の位置にある。
部品８及び９が重なり合う組み合う部分は、図３で見た場合、つまむレバー部分１５の内側の面から１６の内側の面までの約１２０度の部分である。この組み合わせを図２で見ると、組み合うペアー１７と１８が、１９と２０と、２層のペアーとなる。２つの層の間の空間はバネを置く空間２１及び２２である。これらの空間は、重なり組み合った時には合体し一つの空間となる。
図４の、円運動の中心２３からつまむレバー部分までの長さと、同じく円運動の中心２３から挟み口内部にバネの先端を組み入れる部位２４及び２５までの長さとの比は、２対１に出来る。
【符号の説明】
【００１０】
１  つまむレバー部分    ２  つまむレバー部分    ３  力の向きを表す矢印    ４  力の向きを表す矢印    ５  バネ    ６  支点    ７  支点    ８  二つの部品    ９  二つの部品    １０  バネ    １１  挟み口    １２  挟み口    １３  力の向きを表す矢印    １４  力の向きを表す矢印    １５  つまむレバー部分    １６  つまむレバー部分    １７  組み合うペアー    １８  組み合うペアー    １９  組み合うペアー    ２０  組み合うペアー    ２１  バネを置く空間    ２２  バネを置く空間    ２３  円運動の中心    ２４  バネの先端を組み入れる部位    ２５  バネの先端を組み入れる部位    
【手続補正２】
【補正対象書類名】特許請求の範囲
【補正対象項目名】全文
【補正方法】変更
【補正の内容】
【特許請求の範囲】
【請求項１】
洗濯バサミ等ピンチの挟み口に締付ける力を生み出すために、指でつまむレバー部位双方に、バネを作動可能な状態に組み付ける。バネの力の向きは、つまむレバー部位に指で力を加える内向きとは反対方向の外向きとする。又、バネは、つまむレバー部位の突起した状態を解消出来る形状とする。更に、一つに合わさり支点としての働きをする二つの部材上のそれぞれの部位は、バネの外向きの力によっても離れることなく組み合い動ける構造とする。
【請求項２】
洗濯バサミ等ピンチの、二つの部材が合わさり支点としての働きをする部位を以下のような機構とする。それぞれの部材上に設けた円形の一部である部位どうしが、同一円周上で内接外接して組み合い、且つ支点としての力を受けて互いに押し合いながら反対方向に回転運動をすることによって支点としての働きをする機構とする。
【手続補正４】
【補正対象書類名】図面
【補正対象項目名】図５
【補正方法】削除
【補正の内容】
【手続補正５】
【補正対象書類名】図面
【補正対象項目名】図６
【補正方法】削除
【補正の内容】
【手続補正６】
【補正対象書類名】図面
【補正対象項目名】図７
【補正方法】削除
【補正の内容】
【手続補正７】
【補正対象書類名】図面
【補正対象項目名】図８
【補正方法】削除
【補正の内容】